(57)【要約】【課題】  電磁波をシールドできる積層電磁波シールド板を提供することにある。【解決手段】  支持板と電磁波シールド板を積層し、電磁波シールド板は基板と電磁波シールド材の複合構造であり、支持板の外周部を電磁波シールド板の外周面よりも外側に突設し、電磁波シールド材の外周端部を前記基板の外周端面よりも外側に突設した。電磁波シールド板を支持板の両外側に設けて三層構造とした。支持板を電磁波シールド板又は電磁波非シールド板とした。電磁波シールド板の外周部又は／及び支持板の外周部を電磁波シールド性のパッキンで被覆した。【選択図】  図１
2010171120.tif 000002
【特許請求の範囲】
【請求項１】
支持板と電磁波シールド板が積層され、
電磁波シールド板は基板と電磁波シールド材の複合構造であり、
支持板の外周部は電磁波シールド板の外周部よりも外側に突設され、
前記電磁波シールド材の外周端部は前記基板の外周端面よりも外側まで突設された、
ことを特徴とする積層電磁波シールド板。
【請求項２】
請求項１記載の積層電磁波シールド板において、電磁波シールド板が支持板の両外側に設けられた三層構造であることを特徴とする積層電磁波シールド板。
【請求項３】
請求項１又は請求項２記載の積層電磁波シールド板において、支持板が電磁波シールド板又は電磁波非シールド板であることを特徴とする積層電磁波シールド板。
【請求項４】
請求項１乃至請求項３のいずれかに記載の積層電磁波シールド板において、電磁波シールド板の外周部又は／及び支持板の外周部が電磁波シールド性のパッキンで被覆されたことを特徴とする積層電磁波シールド板。
【請求項５】
請求項１乃至請求項４のいずれかに記載の積層電磁波シールド板において、電磁波シールド板又は／及び支持板が電磁波シールドガラス板又は電磁波シールド樹脂板であることを積層電磁波シールド板。
【請求項６】
請求項１乃至請求項５のいずれかに記載の積層電磁波シールド板が、電磁波シールド室用であることを特徴とする積層電磁波シールド板。
【発明の詳細な説明】
【技術分野】
【０００１】
本発明は積層電磁波シールド板に関し、電磁波シールド室、特に、現金自動取引装置（現金自動引き出し預け入れ機：現金処理機：通称「ＡＴＭ」）設置用の電磁波シールド室の周壁板、天井板、扉板として使用するのに適するものである。
【背景技術】
【０００２】
昨今、振込め詐欺が頻発しており、年間、数百億もの膨大な額の被害が発生している。
振込め詐欺は、振込め詐欺師がお年寄りを電話で金融機関やコンビニエンスストアなどに設置されているＡＴＭまで誘い出し、ＡＴＭの近くから携帯電話でお年寄りと通話しながらお年寄りにＡＴＭを操作させて振込みを実行させる手口が多い。また、盗撮による被害発生も危惧されている。これは、ＡＴＭの近くに仕掛けた盗撮用カメラでＡＴＭの暗証番号を盗撮し、盗撮した暗証番号を盗撮者に自動的に無線送信し、入手した盗撮者がその暗証番号と偽造カードを使用してＡＴＭから現金を引き出す手口である。
【発明の概要】
【発明が解決しようとする課題】
【０００３】
ＡＴＭは金融機関のロビー、無人店舗、コンビニエンスストアの店内等に設置されており、ＡＴＭを操作する人と振込め詐欺師とが携帯電話で通話することができるため、係員や店員がいる金融機関のロビーやコンビニエンスストアの店内であっても、それら係員や店員に気付かれることなく振込みさせられてしまい、被害が増加の一途をたどっている。本件発明者は先に、携帯電話を使用した振込め詐欺の被害を防止できるＡＴＭ用の電磁波シールド室を開発した。本発明はＡＴＭ設置室をはじめとして、医療機器設置室、ＯＡ機器設置室といった電磁波シールドを必要とする各種電磁波シールド室の周壁板、天井板、扉板として使用するのに適する電磁波シールド板を提供することにある。
【課題を解決するための手段】
【０００４】
本発明の積層電磁波シールド板は、請求項１記載のように、支持板と電磁波シールド板が積層され、電磁波シールド板は基板と電磁波シールド材の複合構造であり、支持板の外周部は電磁波シールド板の外周部よりも外側に突設され、前記電磁波シールド材の外周端部は前記基板の外周端面よりも外側まで突設されたものである。
【０００５】
本発明の積層電磁波シールド板は、請求項２記載のように、前記積層電磁波シールド板において、電磁波シールド板を支持板の両外側に設けられた三層構造としたものである。
【０００６】
本発明の積層電磁波シールド板は、請求項３記載のように、前記積層電磁波シールド板において、支持板を電磁波シールド板又は電磁波非シールド板としたものである。
【０００７】
本発明の積層電磁波シールド板は、請求項４記載のように、前記積層電磁波シールド板において、電磁波シールド板の外周部又は／及び支持板の外周部が電磁波シールド性のパッキンで被覆されたものである。
【０００８】
本発明の積層電磁波シールド板は、請求項５記載のように、前記積層電磁波シールド板において、電磁波シールド板又は／及び支持板を電磁波シールドガラス板又は電磁波シールド樹脂板としたものである。
【０００９】
本発明の積層電磁波シールド板は、請求項６記載のように、前記積層電磁波シールド板を電磁波シールド室用としたものである。
【発明の効果】
【００１０】
本発明の積層電磁波シールド板は次のような効果がある。
（１）中間層の支持板の外周部が両外側の電磁波シールド板の外周端部よりも外側まで突設されているので、支持板の突出部を下にして使用すれば、電磁波シールド材の外周部（引出し部）が床、地面、枠材等から直接触れない（浮く）ので、その引出し部が電磁波シールド板の荷重で切断することがなく電磁波シールド効果が長期間確保される。
（２）電磁波シールド板が支持板の両外側に設けられた三層構造であるため、電磁波シールド板の表裏いずれの面からの電磁波も確実にシールドできる。
（３）電磁波シールド板の外周部又は／及び支持板の外周部が電磁波シールド性のパッキンで被覆されているので、電磁波シールド板の外周部の電磁波シールド効果が向上する。
（４）支持板を電磁波シールド板とした場合は支持板が電磁波非シールド板のときよりも電磁波シールド効果が向上する。
（５）電磁波シールド板又は／及び支持板が電磁波シールドガラス板又は電磁波シールド樹脂板であるため、電磁波シールドガラス板では耐火性があり、電磁波シールド樹脂板では軽量になる。
（６）電磁波シールド室の周壁板、天井板、扉板として使用することにより電磁波シールド効果に優れた電磁波シールド室を実現でき、ＡＴＭ設置用の電磁波シールド室の周壁板、天井板、扉板用とすることにより、携帯電話での通話を不能にして振込め詐欺や暗証番号の盗撮連絡をも防止することができる。
【図面の簡単な説明】
【００１１】
【図１】本発明の積層電磁波シールド板の周壁下端部の説明図であり、（ａ）は通常状態の正面図、（ｂ）は支持ガラスを入れた電磁波シールドガラスの底面から両外側の電磁波シールドガラスの側面までパッキンを被せた状態の正面図、（ｃ）は支持ガラスを入れた電磁波シールドガラスの底面から両側外面までパッキンを被せた状態の正面図。
【図２】本発明の積層電磁波シールド板を使用したＡＴＭ設置電磁波シールド室の概要を示すものであり、（ａ）は斜視図、（ｂ）は平面図。
【図３】本発明の積層電磁波シールド板を使用した電磁波シールド室の床、周壁、天井の組立て説明図。
【図４】本発明の積層電磁波シールド板を使用した電磁波シールド室における扉枠と扉の連結説明図。
【図５】本発明の積層電磁波シールド板を使用した電磁波シールド室の周壁下端部と下枠の連結説明図。
【図６】本発明の積層電磁波シールド板を使用した電磁波シールド室の周壁上端部と上枠の連結説明図。
【図７】（ａ）、（ｂ）は本発明の積層電磁波シールド板を使用した電磁波シールド室の天井板と天井枠の連結説明図。
【図８】本発明の積層電磁波シールド板の三層構造の一例を示す説明図。
【図９】（ａ）〜（ｆ）は本発明のＡＴＭ設置電磁波シールド装置における扉枠と開閉扉の連結構造の異なる例を示す平面図。
【発明を実施するための形態】
【００１２】
（実施形態１）
本発明の積層電磁波シールド板の一例を図面に基づいて説明する。この積層電磁波シールド板は電磁波シールド板を積層したものであり、一例として図１（ａ）に示す積層電磁波シールド板Ｐは電磁波シールド板８を二枚積層したもの、図１（ｂ）、（ｃ）に示すものは中間の支持板２６の両外側に電磁波シールド板８を積層して三層構造にしたものである。支持板２６には電磁波シールド板を使用することも電磁波非シールド板を使用することもできる。電磁波シールド板８、電磁波非シールド板はガラス製の電磁波シールドガラス板、電磁波非シールドガラス板であっても、樹脂製の電磁波シールド樹脂板、電磁波非シールド樹脂板であってもよい。支持板２６もガラス製の支持ガラス板であっても、樹脂製の支持樹脂板であってもよい。支持板２６と電磁波シールド板８の配置は図１（ｂ）、（ｃ）の配置以外であってもよく、例えば電磁波シールド板８を中間層とし、その両外側を支持板２６とすることもできる。
【００１３】
ガラス製の電磁波シールド板（電磁波シールドガラス板）８には各種構造のものがあり、本発明ではそれらのいずれをも使用できる。電磁波シールドガラス板としては、二枚のガラス板の間に中間膜と共にシールド層としてシールドメッシュを挟んで合わせガラス構造とした合わせタイプのもの、ガラス表面に透明導電膜（シールド材）を施した二枚のガラスの間に空気層を介在させて複層構造とし、透明導電膜をシールド構造とした複層ガラスタイプのもの、ガラス板に電磁波シールド性のあるシールドフィルム（シールド材）を貼ったもの、ガラスに電磁波シールド性のある塗料（シールド材）がコーティングされたもの等があるが、本発明では電磁波シールド性又は電磁波シールド性及び透視性があればいずれの構造のものでも使用可能であり、それら以外のものであっても使用できる。一例として、直径５０μｍ以下の細い金属線材（例えば、ステンレス線材：シールド材）を網状に編んだステンレスメッシュを使用した電磁波シールドガラス板８を使用することもできる。このステンレスメッシュは電磁波を遮断できるのみならず、吸収することもでき静電気をカットすることもできる。電磁波シールド板８は電磁波シールド性が前記以外のものでも使用できる。
【００１４】
以下の実施形態は電磁波シールド板８として電磁波シールドガラス板を使用した場合の説明である。図１（ａ）の細い金属線材２５（シールド材）は電磁波シールドガラス板８の外周端から外側まで引き出されて外部に接地できるようにしてある。この場合、積層電磁波シールド板Ｐを図１（ａ）のように縦向きにして使用した場合、前記金属線２５の引出し部２５ａが電磁波シールドガラス板８の荷重で切断することがある。この切断を防止するための一方策として、図１（ｂ）に示すように二枚の電磁波シールドガラス板８の間に支持板２６を配置し、その支持板２６の下部を両側の二枚の電磁波シールドガラス板８の下端よりも下方まで突出させて、その支持板２６の下部と二枚の電磁波シールドガラス板８の下端外側に電磁波シールド性のあるパッキン２７を被せて金属線２５の引出し部２５ａを保護すると共に引出し部２５ａとの導通性を確保して電磁波シールドガラス板８のシールド性を確保できるようにすることができる。図１（ｃ）に示すように、支持板２６の下部と二枚の電磁波シールドガラス板８の下端外側に電磁波シールド性のある一つのパッキン２８を被せて金属線２５の引出し部２５ａを保護すると共に引出し部２５ａとの導通性を確保して積層電磁波シールド板Ｐのシールド性を確保できるようにすることもできる。この場合の支持板２６は電磁波シールド性であっても非電磁波シールド性であってもよい。
【００１５】
本発明の積層電磁波シールド板は電磁波シールド室の周壁、天井板、扉板として使用することができる。図２（ａ）、（ｂ）に示すものは電磁波シールド室の一例であり、ＡＴＭ設置スペースとＡＴＭ操作スペースを備えた電磁波シールド室１を細長にしてＡＴＭ２を一台設置した場合の例である。電磁波シールド室はＡＴＭを複数台設置できる広さとすることもできる。
【００１６】
電磁波シールド室１は図３に示す床材３と、その上に図２のように組み立てた周壁４と、周壁４の上の天井５で囲われており、周壁４に出入り口６（図２（ｂ））を設け、出入り口６に開閉扉７を取付けてある。開閉扉７はドアでもよく引き戸であってもよい。電磁波シールド室１は金融機関、コンビニエンスストア等の店舗内、駅や空港のビル内、公共施設の建物内、屋外といった必要箇所に設置することができる。
【００１７】
電磁波シールド室１は室内を電磁波シールドするため、床材３に電磁波シールド性のある板材やマット（通称：シールドマット）を使用し、周壁４と天井５に本発明の積層電磁波シールド板Ｐを使用し、床材３と周壁４の連結箇所、周壁４と天井５との連結箇所、出入り口６への開閉扉７の取付け箇所も電磁波シールド構造にしてある。床材３は板材やマットではなく電磁波シールド構造に施工された地面や建物のフロアなどであってもよい。電磁波シールドの施工は路面やフロア等に導電性メッシュや他の導電材を敷設したり埋設したりして電磁波シールド構造に施工したものであってもよい。前記電磁波シールド室１は図３のように床材３、周壁４、天井５を組立て、開閉扉７を取付けることにより完成することができる。
【００１８】
図３の床材３は地面に固定される。この場合、床材３の上に床取付けランナー１０を設置し、固定ネジ（ボルト）１１を床取付けランナー１０から床材３を貫通して床にねじ込むことにより床材３を金融機関やコンビニエンスストアの床や屋外の路面に固定できるようにしてある。床材３は設置した地面や他の場所に電気的にアースして電磁波シールド効果を確実にすることができる。
【００１９】
周壁４の積層電磁波シールド板Ｐは、図３に示す周枠１２の内側に配置固定される。周枠１２は二本の支柱１３の間の下部に下枠１４が、上部に上枠１５が取付けられ、両支柱１３の内側と下枠１４、上枠１５の内側に受縁１６が取付けられ、周枠１２の内側に積層電磁波シールド板Ｐが配置されて受縁１６に宛がわれ、周枠１２の内側から積層電磁波シールド板Ｐの外側に押縁１７が押し当てられて積層電磁波シールドＰが受縁１６と押縁１７の間に挟まれ、押縁１７が支柱１３に固定されることにより積層電磁波シールド板Ｐが周枠１２の内側に固定される。上枠１５は天井取付けランナー１８により両支柱１３の上部に固定される。積層電磁波シールド板Ｐが固定された周枠１２は床取付けランナー１０に嵌合されて床材３に固定される。図３では積層電磁波シールド板Ｐの四周外周縁に電磁波シールド性のあるテープ、例えば、金属テープ９が貼り付けられている。周壁４の前面、両側面、背面は積層電磁波シールド板Ｐを前記のように組立てることにより形成されている。天井５（図２）に使用される積層電磁波シールド板Ｐは前記周壁４の上に配置固定される。天井５と周壁４も電磁波シールド構造にして連結固定されている。
【００２０】
出入り口６への開閉扉７の取付けも電磁波シールド構造にしてある。その取付け構造の一例として図４に示す開閉扉７にも本発明の積層電磁波シールド板Ｐを使用し、それを開閉機構２０により出入り口６の扉枠２１に回転可能に取付けてある。この場合、開閉扉７の内側の電磁波シールドガラス板８の端部に電磁波シールド性のあるパッキン２２を被せ、そのパッキン２２を開閉扉７と扉枠２１の間に介在させ、更に、扉枠２１に電磁波シールド性のあるパッキン２３を配置固定して、開閉扉７と扉枠２１との連結部をも電磁波シールド構造にしてある。図４では三枚の電磁波シールドガラス板８のうち、最外層の電磁波シールドガラス板８の端部を突出させ、最内層の電磁波シールドガラス板８の端部を中間層の電磁波シールドガラス板８よりも突出させて、最内層の電磁波シールドガラス板８の端部８ｂにパッキンを被せるようことができるようにしてある。図４のパッキン２２、２３は開閉扉７の縦方向全長に取付けられている。図４に示す開閉扉７の端部と反対側の端部と、図４に示す扉枠２１と反対側の扉枠との双方又はいずれか一方にも電磁波シールド性のあるパッキンを取付けて両者間も電磁波シールド構造にしてある。図４のパッキン２２は開閉扉７の縦方向全長に、パッキン２３は扉枠２１の縦方向全長に取付けてある。
【００２１】
出入り口６（図２）は車椅子が出入りできる広さにすることができる。この場合、開閉扉７の底面と出入り口６の床材３の間も電磁波シ−ルドする必要があり、そのために例えば開閉扉７の底面と出入り口６の床材３との双方又はいずれか一方に電磁波シールド性のあるパッキンを取付けて開閉扉７を閉めたときに出入り口６の床面と開閉扉７との間も電磁波シ−ルドされるようにすることができる。
【００２２】
図２に示す側壁用の積層電磁波シールド板Ｐの下端部と下枠１４（図３）との連結構造は種々あるが、その一例として図５に示すものは積層電磁波シールド板Ｐの下端面に導電性パッキン３０を被せ、導電性パッキン３０と下枠１４との間の空間に電磁波シールド性のあるシーリング材３１を充填して、積層電磁波シールド板Ｐと周枠１２の間を電磁波シールドすることもできる。前記導電性パッキン３０の代わりに導電性テープを貼り付けることもできる。
【００２３】
図２に示す側壁用の積層電磁波シールド板Ｐの上端部と上枠１５（図３）との連結構造は種々あるが、その一例として図６に示すものは積層電磁波シールド板Ｐの上端面に導電性パッキン３０を被せ、導電性パッキン３０と上枠１５との間の空間に電磁波シールド性のあるシーリング材３１を充填して、積層電磁波シールド板Ｐと周枠１２の間を電磁波シールドすることもできる。前記導電性パッキン３０の代わりに導電性テープを貼り付けることもできる。
【００２４】
天井板としての積層電磁波シールド板Ｐ（図３）と天井枠３３（図２）との連結構造も種々あるが、その一例として図７（ａ）に示すものは、積層電磁波シールド板Ｐの連結端面に導電性パッキン３４を被せ突合せ、その突合せ部分を両外側から金属製の横枠３３で挟んだ構造である。図７（ｂ）に示すものは積層電磁波シールド板Ｐの連結端面に導電性パッキン３４を被せ、その連結端部を金属製のＩ字状の天井枠３３の溝に嵌合した構造である。
【００２５】
本発明の積層電磁波シールド板Ｐのシールド周波数帯域（遮蔽周波数帯域）は広い方が望ましいが、少なくとも携帯電話の使用周波数帯域をシールド（遮蔽）できるもの、例えば周波数選択電磁波シールドガラスを使用することもできる。これはガラスや内装材などの表面にアンテナを均等配列して電波反射面を形成して、アンテナ長に応じた周波数帯域の電波が反射されて遮蔽されるようにしたものである。
【００２６】
本発明の積層電磁波シールド板を使用したＡＴＭ設置室は電磁波シールド室での悪質行為や携帯電話の使用状況等を外部から視認できるようにするのが好ましいため、積層電磁波シールド板Ｐには透視性のあるものを使用する。積層電磁波シールド板Ｐには遮熱性、断熱性、耐火性等に優れたものを使用して電磁波シールド板で囲われた室内に断冷房機能を持たせたり、耐火機能を持たせたりすることもできる。
【００２７】
（実施形態２）
積層電磁波シールド板Ｐ（図２）の連結構造も種々あるが、一例として図８に示すものは三層（三枚）構造の積層電磁波シールド板Ｐの連結構造であり、一方（図８の左側）の積層電磁波シールド板Ｐは中間の電磁波シールドガラス板８の連結端部を両外側の電磁波シールドガラス板８の連結端部よりも凹ませ、他方（図８の右側）の積層電磁波シールド板Ｐは中間の電磁波シールドガラス板８の連結端部を両外側の電磁波シールドガラス板８の連結端部よりも凸にして、前記凹部と凸部を嵌合して連結できるようにしてある。この場合は、図８の左側の積層電磁波シールド板Ｐの両外側の電磁波シールドガラス板８の凸部にシールド性のあるパッキン３４を被せ、図８の右側の積層電磁波シールド板Ｐ）の中間の電磁波シールドガラス板８の凸部にシールド性のあるパッキン３４を被せて、前記凹部に凸部を差し込んで電磁波シールド構造にして連結してある。
【００２８】
（実施形態３）
図９（ａ）〜（ｆ）は扉枠２１と開閉扉７との連結に使用されるパッキンの各種形状（構造）を示すものである。図９（ａ）〜（ｆ）のいずれの場合も、扉枠２１は金属製であり内側に二段の凹部４０、４１がある。開閉扉７は電磁波シールドガラス板８を三層（三枚）構造にした積層電磁波シールド板Ｐであり、最外層の電磁波シールドガラス板８の突出端部を開閉機構２０により扉枠２１に連結してある。また、中間の電磁波シールドガラス板８の端部をその両外側の電磁波シールド板８の端部よりも凹ませて、両外側の電磁波シールドガラス板８の間に嵌合空間を設け、この嵌合空間にパッキン４３を挟んである。
【００２９】
前記パッキン４３は金属粉混入或いは金属繊維埋設の樹脂製或いはゴム製として導電性（電磁波シールド性）をもたせてある。図９（ａ）〜（ｆ）のパッキン４３は前記嵌合空間に嵌合可能な嵌合部４３ａと内側の電磁波シールド板８と扉枠２１との間に配置されるクッション部４３ｂとが一体成型されている。図９（ａ）〜（ｆ）のパッキン４３の嵌合部４３ａの形状はいずれも同じであるが、クッション部４３ｂの形状は全て異なる。図９（ａ）のクッション部４３ｂは横長空間部４４が、図９（ｂ）のクッション部４３ｂは三個の空間部４５が、図９（ｃ）のクッション部４３ｂは二個の空間部４６が形成されて弾性が具備されている。図９（ｃ）の二個のクッション部は扉枠２１の仕切り突起４２で区画されている。図９（ｄ）〜（ｆ）のクッション部４３ｂはいずれも空間部がないが、輪郭形状は図９（ｄ）が図９（ａ）と、図９（ｅ）が図９（ｂ）と、図９（ｆ）が図９（ｃ）と夫々同じである。これらパッキン４３はいずれも開閉扉７及び扉枠２１の上下方向に縦長である。パッキンの形状、構造は図９（ａ）〜（ｆ）に示すもの以外であってもよい。
【００３０】
電磁波シールド室１の形状、広さ等はＡＴＭの設置台数に合わせて選択することができ、出入り口の開口方向は設置するロビー、店舗等の配置に合わせて選択する。出入り口は車椅子が出入りできる広さにし、その部分の床はバリアフリー式が望ましい。
【産業上の利用可能性】
【００３１】
本発明の積層電磁波シールド板は、電磁波障害を回避したい場所、例えば、オフィス、病院などの個室として利用することもできる。その場合は、電磁波シールド室内にＡＴＭの代わりに必要なオフィス機器や医療機器等を設置する。電磁波シールド室の床材、周壁、天井、開閉扉には電磁波シールド室内の機器に障害となる周波数帯の電磁波をシールドできる電磁波シールド板を使用する。電磁波シールド板は透視しにくいもの或いは透視できないものに代えることもできる。
【符号の説明】
【００３２】
１  電磁波シールド室
２  ＡＴＭ
３  床材
４  周壁
５  天井
６  出入り口
７  開閉扉
８  電磁波シールド板（電磁波シールドガラス板）
８ｂ  電磁波シールド板の端部
９  金属テープ
１０  床取付けランナー
１１  固定ネジ（ボルト）
１２  周枠
１３  支柱
１４  下枠
１５  上枠
１６  受縁
１７  押縁
１８  天井取付けランナー
２０  開閉機構
２１  扉枠
２２、２３  パッキン
２５  金属線
２５ａ  金属線の引出し部
２６  支持板
２７  パッキン
２８  パッキン
３０  導通性パッキン
３１  シーリング材
３３  横枠
３４  導通性パッキン
４０、４１  扉枠の凹部
４２  扉枠の切り突起
４３  パッキン
４３ａ  パッキンの嵌合部
４３ｂ  パッキンのクッション部
４４  横長空間部
４５、４６  空間部
Ｐ  積層電磁波シールド板
【図１】
2010171120.tif 000003
【図２】
2010171120.tif 000004
【図３】
2010171120.tif 000005
【図４】
2010171120.tif 000006
【図５】
2010171120.tif 000007
【図６】
2010171120.tif 000008
【図７】
2010171120.tif 000009
【図８】
2010171120.tif 000010
【図９】
2010171120.tif 000011